(57)【要約】【課題】  構成を複雑にせず、照明の規模や要望に応じて適切な数量の光源を使用し、かつ、色むらや発光むらの発生を抑制することのできる直下型の面状光源装置を提供する。【解決手段】  発光面の任意の１点にピークの明るさが小である複数のＬＥＤ２から光が集まり、混合されることに基づいて白色光の面状放射を行うので、ＬＥＤ２の単体特性としての発光量のばらつき、色のばらつきが平均化され、発光むら・色むらの少ない面状発光装置１が得られる。そのため、故障等で消灯しているＬＥＤ２があったとしても他のＬＥＤ２によって光が補完されることにより、照度低下が少なく、発光むらを抑えることができる。【選択図】    図１
2006324134.tif 000002
【特許請求の範囲】
【請求項１】
点光源と、前記点光源から放射される光を反射する光反射面を有し、前記光を光拡散面で拡散させて発光面から面状放射する直下型の面状発光装置において、
前記発光面は、複数の前記点光源から放射される光の混合に基づいて得られる強度の光を面状放射することを特徴とする面状発光装置。
【請求項２】
点光源と、前記点光源から放射される光を反射する光反射面を有し、前記光を光拡散面で拡散させて発光面から面状放射する直下型の面状発光装置において、
前記発光面は、複数の前記点光源から放射される光の混合に基づいて得られる色の光を面状放射することを特徴とする面状発光装置。
【請求項３】
点光源と、前記点光源から放射される光を反射する光反射面を有し、前記光を光拡散面で拡散させて発光面から面状放射する直下型の面状発光装置において、
前記発光面は、発光強度の異なる複数の前記点光源から放射される光の混合に基づいて得られる強度の光を面状放射することを特徴とする面状発光装置。
【請求項４】
点光源と、前記点光源から放射される光を反射する光反射面を有し、前記光を光拡散面で拡散させて発光面から面状放射する直下型の面状発光装置において、
前記発光面は、発光色の異なる複数の前記点光源から放射される光の混合に基づいて得られる色の光を面状放射することを特徴とする面状発光装置。
【請求項５】
点光源と、前記点光源から放射される光を反射する光反射面を有し、前記光を光拡散面で拡散させて発光面から面状放射する直下型の面状発光装置において、
前記発光面は、発光強度および発光色の異なる複数の前記点光源から放射される光の混合に基づいて得られる強度および色の光を面状放射することを特徴とする面状発光装置。
【請求項６】
前記点光源は、前記光反射面および前記光拡散面からなる空間に配置されることを特徴とする請求項１から５のいずれか１項に記載の面状発光装置。
【請求項７】
前記点光源は、ＬＥＤ素子を発光源とする請求項１から５のいずれか１項に記載の面状発光装置。
【請求項８】
前記点光源は、リフレクタの内側に少なくとも１つの前記ＬＥＤ素子を配置したＬＥＤである請求項７に記載の面状発光装置。
【請求項９】
前記点光源は、青色光を放射するＧａＮ系ＬＥＤ素子と、前記青色光によって励起されて黄色光を放射する黄色蛍光体とを含む白色点光源である請求項１から５のいずれか１項に記載の面状発光装置。
【請求項１０】
前記点光源は、赤色光を放射する第１のＬＥＤ素子と、緑色光を放射する第２のＬＥＤ素子と、青色光を放射する第３のＬＥＤ素子の少なくとも１つを含む点光源である請求項１から５のいずれか１項に記載の面状発光装置。
【請求項１１】
前記点光源は、紫外光を放射する紫外ＬＥＤ素子と、前記紫外光によって励起される赤色蛍光体、緑色蛍光体、および青色蛍光体とを含む請求項１から５のいずれか１項に記載の面状発光装置。
【請求項１２】
前記点光源は、紫外光を放射する紫外ＬＥＤ素子であり、前記光拡散面の設けられる拡散部に塗布された紫外線励起蛍光体を前記紫外線によって励起する請求項１から５のいずれか１項に記載の面状発光装置。
【発明の詳細な説明】
【技術分野】
【０００１】
本発明は、発光ダイオード（Light Emitting Diode：ＬＥＤ）を光源に用いた面状発光装置に関し、特に、構成を複雑にせず、照明の規模や要望に応じて適切な数量の光源を使用し、かつ、色むらや発光むらの発生を抑制することのできる面状光源装置に関する。
【背景技術】
【０００２】
従来、映像表示、照明等の用途に用いられる面状発光装置には、光源として蛍光灯が広く用いられている。しかしながら蛍光灯は水銀を使用しているために有害であり、寿命が短くランニングコストが大であるほか、産業廃棄物としての適切な処理を必要とするといった種々の問題を有している。このような問題を解消するものとして、ＬＥＤを光源とする面状発光装置が提案され、実用化されている。
【０００３】
ＬＥＤは半導体製造技術に基づいて製造されることから、量産性、省コスト性に優れた特長を有する。近年、発光効率が６０ｌｍ／Ｗを超える白色ＬＥＤも実用化されており、照明用途への適用が期待されているが、点光源であるため、面状発光装置として照度むらを抑えつつ所望の照度を得るには、複数のＬＥＤを適切に配置する必要がある。
【０００４】
また、ＬＥＤの輝度は発光源であるＬＥＤ素子の発光特性に依存するが、ＬＥＤ素子単体の色むら、輝度むらが存在することが知られており、照明の品質が要求される用途においては発光特性の均一なＬＥＤ素子を揃えることが要求される。現実には所望の発光特性に対する許容範囲に収まるＬＥＤを選別して用いている。
【０００５】
個々のＬＥＤに発光特性のばらつきがあっても照度の均一化を図れるものとして、素子搭載基板としての配線基板と、この配線基板の素子搭載面内で並列する複数のＬＥＤ光源と、これらＬＥＤ光源からの放射光を照明対象に導くための拡散部付きの導光部材とを備えた面状発光装置が提案されている（例えば、特許文献１参照）。
【０００６】
特許文献１の面状発光装置によると、配線基板上のＬＥＤ光源を点灯させ、これら点灯光を導光部材内で面状に拡散させてから、照明対象としての液晶パネルの背面全体を照射している。
【特許文献１】特開２００４−１４３６５号公報
【発明の開示】
【発明が解決しようとする課題】
【０００７】
しかし、特許文献１の面状発光装置によると、複数のＬＥＤから放射される光を導光部材内に伝搬させて面状に放射させるため、光ロスの少ない光透過性材料を選択して導光部材を形成する必要がある。また、照射面積が大になると、導光部材に対して複数の箇所にＬＥＤを適切に配置する必要があり、設計上の制約が生じることがある。また、導光部材を要することから装置コストが大になるといった問題がある。
【０００８】
従って、本発明の目的は、構成を複雑にせず、照明の規模や要望に応じて適切な数量の光源を使用し、かつ、色むらや発光むらの発生を抑制することのできる直下型の面状光源装置を提供することにある。
【課題を解決するための手段】
【０００９】
本発明は、上記目的を達成するため、点光源と、前記点光源から放射される光を反射する光反射面を有し、前記光を光拡散面で拡散させて発光面から面状放射する直下型の面状発光装置において、前記発光面は、複数の前記点光源から放射される光の混合に基づいて得られる強度の光を面状放射する面状発光装置を提供する。
【００１０】
また、本発明は、上記目的を達成するため、点光源と、前記点光源から放射される光を反射する光反射面を有し、前記光を光拡散面で拡散させて発光面から面状放射する直下型の面状発光装置において、前記発光面は、複数の前記点光源から放射される光の混合に基づいて得られる発光色の光を面状放射する面状発光装置を提供する。
【００１１】
また、本発明は、上記目的を達成するため、点光源と、前記点光源から放射される光を反射する光反射面を有し、前記光を光拡散面で拡散させて発光面から面状放射する直下型の面状発光装置において、前記発光面は、発光強度の異なる複数の前記点光源から放射される光の混合に基づいて得られる強度の光を面状放射する面状発光装置を提供する。
【００１２】
また、本発明は、上記目的を達成するため、点光源と、前記点光源から放射される光を反射する光反射面を有し、前記光を光拡散面で拡散させて発光面から面状放射する直下型の面状発光装置において、前記発光面は、発光色の異なる複数の前記点光源から放射される光の混合に基づいて得られる色の光を面状放射する面状発光装置を提供する。
【００１３】
また、本発明は、上記目的を達成するため、点光源と、前記点光源から放射される光を反射する光反射面を有し、前記光を光拡散面で拡散させて発光面から面状放射する直下型の面状発光装置において、
前記発光面は、発光強度および発光色の異なる複数の前記点光源から放射される光の混合に基づいて得られる強度および色の光を面状放射する面状発光装置を提供する。
【００１４】
上記面状発光装置において、点光源は、光反射面および光拡散面からなる空間に配置されることが好ましい。また、点光源は、ＬＥＤ素子を発光源とすることができ、リフレクタの内側に少なくとも１つのＬＥＤ素子を配置したＬＥＤを用いることができる。リフレクタの内側に配置されるＬＥＤ素子は、封止材料で封止する構成、あるいは封止しない構成であっても良い。また、リフレクタについても設けない構成であっても良い。
【００１５】
また、点光源は、青色光を放射するＧａＮ系ＬＥＤ素子と、青色光によって励起されて黄色光を放射する黄色蛍光体とを含む白色点光源であっても良く、赤色光を放射する第１のＬＥＤ素子と、緑色光を放射する第２のＬＥＤ素子と、青色光を放射する第３のＬＥＤ素子の少なくとも１つを含む点光源であっても良い。点光源における組み合わせとして、４７０ｎｍ（青色）付近に発光ピークを有するＬＥＤ素子と５９０ｎｍ（黄色）付近に発光ピークを有するＬＥＤ素子から放射される青色光と黄色光の混合によって白色光を放射させるもの、赤色系の第１のＬＥＤ素子と緑色系の第２のＬＥＤ素子との２つのＬＥＤ素子によってオレンジ色の光を放射させるものであっても良い。さらには紫外光を放射する紫外ＬＥＤ素子と、紫外光によって励起される赤色蛍光体、緑色蛍光体、および青色蛍光体とを含むものであっても良く、紫外ＬＥＤ素子を単体で用いて紫外光を面状放射させるものとしても良い。
【００１６】
また、点光源は、紫外光を放射する紫外ＬＥＤ素子であり、光拡散面の設けられる拡散部に塗布された紫外線励起蛍光体を紫外線によって励起するようにしても良い。
【発明の効果】
【００１７】
本発明によると、構成を複雑にせず、照明の規模や要望に応じて適切な数量の光源を使用し、かつ、色むらや発光むらの発生を抑制することができる。
【発明を実施するための最良の形態】
【００１８】
（第１の実施の形態）
図１は、本発明の第１の実施の形態に係る直下型の面状光源装置の全体斜視図である。なお、同図においては面状発光装置１の幅方向をｘ方向、長さ方向をｙ方向、高さ方向をｚ方向としている。
【００１９】
（面状発光装置１の全体構成）
この面状発光装置１は、複数のＬＥＤ２を収容する筐体３と、筐体３の内壁面に設けられて複数のＬＥＤ２から放射される白色光を反射する鏡面状の光反射部４と、複数のＬＥＤ２を搭載する実装基板５と、複数の実装基板５を搭載する支持板６と、筐体３の光取り出し側に設けられて複数のＬＥＤ２から放射される白色光の一部を反射、拡散させるとともに透過する光拡散部７とを有する。
【００２０】
ＬＥＤ２は、青色ＬＥＤ素子を発光源とする表面実装型のＬＥＤ２であり、実装基板５に搭載されて７０個が筐体３に収容されている。本実施の形態では面状発光装置１の平均照度は１０００（ｌｘ）である。
【００２１】
筐体３は、ポリカーボネート等の樹脂材料を射出成型することによって形成された樹脂筐体であり、内部に実装基板５を支持する支持部が設けられている。なお、樹脂筐体に限定されず、アルミニウム等の金属筐体であっても良い。
【００２２】
光反射部４は、ＬＥＤ２から放射された白色光の反射性を高めるものとして、シート状のアルミニウムを貼り付けることにより鏡面状に形成された光反射面４Ａを有している。なお、光反射部４はシート貼り付け以外の他の方法で形成しても良く、例えば無電解めっきによるもの、あるいは白色塗装によって形成されても良い。
【００２３】
実装基板５は、ガラスエポキシ基板からなり、ＬＥＤ２の底面に露出した電極端子部と電気的に接続される配線パターン（図示せず）を表面に有し、この表面に複数のＬＥＤ２が所定の間隔で搭載されている。
【００２４】
支持板６は、複数のＬＥＤ２を搭載した実装基板５を所定の間隔で搭載しており、このことによって隣接するＬＥＤ２のｘ方向およびｙ方向の間隔が一定となるように設定される。本実施の形態では、ＬＥＤ２はｘ方向およびｙ方向の間隔が３５ｍｍとなるように搭載している。また、支持板６の表面および実装基板５の表面はＬＥＤ２から放射される白色光の反射性を高めるために白色に塗装されている。
【００２５】
光拡散部７は、樹脂材料に光拡散粒子を混合した乳白色の薄板状に形成されており、ＬＥＤ２の光出射面から光軸方向、つまりｚ方向に所定の距離を有して配置されて白色光の一部を透過し、一部を反射して筐体３内で反射させることによって複数のＬＥＤ２から放射される白色光の混合を行う。本実施の形態では、ＬＥＤ２の光出射面から光拡散部７までの距離を７０ｍｍとしている。
【００２６】
図２は、面状発光装置に用いられるＬＥＤを示し、（ａ）はＬＥＤの中央部における縦断面図、（ｂ）はＬＥＤに用いられるＬＥＤ素子の縦断面図である。
【００２７】
（ＬＥＤ２の構成）
このＬＥＤ２は、図２（ａ）に示すように発光に基づいて青色光を発するＧａＮ系半導体化合物からなるフリップチップ型のＬＥＤ素子２０と、ＬＥＤ素子２０を搭載する基板２１と、基板２１の素子搭載側に設けられるケース２２と、ＬＥＤ素子２０と基板２１に設けられる配線パターン２１Ａ，２１Ｂとを電気的に接続するＡｕバンプ２３と、ケース２２の開口部２２Ｂに注入されてＬＥＤ素子２０を封止する封止樹脂２４とを有する。
【００２８】
ＬＥＤ素子２０は、ＭＯＣＶＤ(Metal Organic Chemical Vapor Deposition)装置を用いて図２（ｂ）に示すようにサファイア基板２００上にＧａＮ系半導体層２１０を結晶成長させることによって形成される。ＧａＮ系半導体層２１０は、サファイア基板２００上にＡｌＮバッファ層２０１を形成後、Ｓｉドープのｎ−ＧａＮ層２０２、発光層２０３、Ｍｇドープのｐ−ＧａＮ層２０４を順次結晶成長させることによって形成されており、ｐ−ＧａＮ層２０４の表面にｐ側電極２０５を有する。また、ｐ−ＧａＮ層２０４からｎ−ＧａＮ層２０２にかけてエッチングを施すことにより露出させたｎ−ＧａＮ層２０２にｎ側電極２０６を有する。本実施の形態では、発光波長領域４５０〜４６０ｎｍで、標準サイズ（０．３ｍｍ×０．３ｍｍ）の青色のＬＥＤ素子２０を用いるが、ラージサイズ（１ｍｍ×１ｍｍ）のＬＥＤ素子２０を用いることも可能である。
【００２９】
基板２１は、Ａｌ２Ｏ３によって形成されており、素子搭載面から側面を介して底面にかけて銅箔によって配線パターン２１Ａ，２１Ｂが設けられている。なお、配線パターン２１Ａ，２１Ｂは、例えば基板２１に設けられたビアホールにビアパターンを設け、このビアパターンを介して素子搭載側の配線パターンと裏面側の配線パターンとを電気的に接続するものであっても良い。
【００３０】
ケース２２は、白色の樹脂材料によって形成されており、中央に開口部２２Ｂを有する。この開口部２２Ｂの内面は、素子搭載面から光取り出し方向に径が拡大するように形成されており、リフレクタとしての傾斜面２２Ａを有している。なお、ケース２２は、白色以外で形成されても良く、傾斜面２２Ａに光反射性を高めるためのめっき処理、あるいは白色塗装等の加工を施しても良い。
【００３１】
封止樹脂２４は、ＬＥＤ素子２０から放射される青色光によって励起されて黄色光を発する珪酸塩系の蛍光体２４Ａを含有しており、ＬＥＤ素子２０を封止するとともにＬＥＤ素子２０から放射される青色光と蛍光体２４Ａから放射される黄色光との混合に基づいて白色光を発生させる。なお、蛍光体２４Ａは、珪酸塩系のものの他に、例えばＹＡＧ(Yttrium Aluminum Garnet)蛍光体等のガーネット系蛍光体を用いても良い。
【００３２】
図３は、本実施の形態で用いるＬＥＤの特性を示し、（ａ）は配光特性図、（ｂ）は筐体に組み込んだときのＬＥＤ単体についての照度と光軸からの距離に対する照度の変化を示す図である。本実施の形態の面状発光装置１は、ＬＥＤ２自身が発する光と周囲に配置されたＬＥＤ２から放射される光、さらに光反射部４、光拡散部７で反射される光を混合するものであり、ＬＥＤ２は光軸方向だけでなく広範囲に放射強度を有するものが望ましい。
【００３３】
こうした理由に基づいて、本実施の形態では、（ａ）に示すように１１０°の指向角を有し、光軸から±５５°で光軸方向の照度に対して５０％の照度となるＬＥＤ２を用いている。このＬＥＤ２は（ｂ）に示すように１０ｍＡ通電時の単体特性として光軸方向に約６０（ｌｘ）の照度を有し、光軸から離れるにつれて照度が緩やかに低下する特性を有する。
【００３４】
（面状発光装置１の動作）
この面状発光装置１の動作について以下に説明する。まず、図示しない電源部から１０ｍＡで各ＬＥＤ２に通電することによってＬＥＤ素子２０の発光層２０３で発光する。発光に基づいて生じる青色光が封止樹脂２４の蛍光体２４Ａに照射されることにより、蛍光体２４Ａが励起されて黄色光が放射される。この黄色光と青色光が混合されることによって白色光が生成され、ケース２２の開口部２２Ｂから外部放射される。
【００３５】
ここで、各ＬＥＤ２から放射された白色光は、光軸方向の光拡散部７に直接至る光、光軸方向以外に放射される光と様々である。また、光拡散部７に達しても透過せず反射される光も存在する。このようにして筐体３内の空間では白色光が複雑に混合されることにより、その混合の度合いに応じた強度の光が発光面となる光拡散部７から均一に面状放射される。このとき、各ＬＥＤ２の光源像は視認できないレベルにある。
【００３６】
（第１の実施の形態の効果）
上記した第１の実施の形態によれば、ピーク照度が小である複数のＬＥＤ２から発光面の任意の１点に光が集まり、混合されることに基づいて白色光の面状放射を行うので、ＬＥＤ２の単体特性としての発光量のばらつき、色のばらつきが平均化され、発光面積に対して点光源の数量を大にしなくとも発光むら、色むらの少ない面状発光装置１が得られる。そのため、故障等で消灯しているＬＥＤ２があったとしても他のＬＥＤ２によって光が補完されることにより、照度低下が少なく、発光むらを抑えることができる。
【００３７】
また、ＬＥＤ２が発光面に対して所定の配置で分散し、かつ単体特性のばらつき、変化によって面状発光装置１の発光特性が変動しにくい構成であるので、色むら、発光むらのあるＬＥＤ２でも許容範囲のものであれば面状発光装置１の発光特性に差を生じることがなく、安価に製造することが可能になるとともに複数の面状発光装置１を併設して用いる場合であっても視覚的な違和感を生じることがない。なお、ＬＥＤ２は広視野角のものを用いることで、白色光の混合性がより向上する。
【００３８】
また、面状発光装置１の形状については、上記した平坦状のものに限定されず、例えば、光拡散部７が緩やかな曲面を有する面状発光装置１であっても良い。
【００３９】
また、上記した面状発光装置１では、青色のＬＥＤ素子２０と、ＬＥＤ素子２０から放射される青色光で励起されて黄色光を発する蛍光体２４Ａを用いたＬＥＤ２を光源として用いる構成を説明したが、白色光を生じる光源についてはこれに限定されず、赤色、緑色、および青色のＬＥＤ素子２０を素子搭載部に搭載し、赤色光、緑色光、および青色光の混合により白色を生じるＬＥＤ２を用いることも可能である。
【００４０】
また、蛍光体を用いずに青色ＬＥＤ素子から放射される青色光、および黄色ＬＥＤ素子から放射される黄色光を混合することにより白色光を得る構成としても良い。また、外部回路でＬＥＤ素子２０に通電する際の電流又はパルス幅を制御して光の混合状態を変化させることもできる。
【００４１】
また、紫外光を放射するＬＥＤ素子２０を用いて赤色蛍光体、緑色蛍光体、および青色蛍光体を励起することにより放射される赤色光、緑色光、および青色光の混合により白色を生じるＬＥＤ２であっても良い。また、紫外ＬＥＤ素子から放射される光を面状放射する紫外面状発光装置１としても良い。この場合、光拡散部７に紫外線励起タイプの蛍光体を塗布等によって設けても良い。
【００４２】
また、白色光の生成についても、パッケージ内でＲＧＢの光を混合して生成するものに限定されず、例えば、実装基板５上に赤色ＬＥＤ、緑色ＬＥＤ、および青色ＬＥＤを配置し、これらＬＥＤから放射される光を光拡散部７で混合することで白色光を生成するようにしても良い。この場合、広視野角のＬＥＤを用いることがより好ましい。
【００４３】
また、青色光、黄色光の混合による白色光の生成についても、青色ＬＥＤ素子と黄色蛍光体とを同一パッケージに設けず、例えば、光拡散部７の裏面に薄膜状の黄色蛍光体を塗布し、青色光の透過に基づいて白色光を生じるようにしても良い。
【００４４】
また、光の色についても白色に限定されず、赤色、緑色、あるいは青色の単色であっても良く、さらに、これらの色を混合して得られる任意の色であっても良い。
【００４５】
（第２の実施の形態）
図４は、第２の実施の形態に係るＬＥＤの配置の異なる面状発光装置の平面図である。
以下の説明において、第１の実施の形態と同様の構成および機能を有する部分については共通の引用数字を付している。また、同図においては図１で説明した光拡散部７の図示を省略している。
【００４６】
この面状発光装置１では、ＬＥＤ２の配置を図１に示す正四角形状から正三角形状とした構成において相違している。このように、ＬＥＤ２の配置についても正四角形状に限定されず、正三角形状、長方形状、あるいは二等辺三角形状等の他の配置としても良い。
【００４７】
（第３の実施の形態）
図５は、第３の実施の形態に係る面状発光装置の部分平面図である。同図においては説明を容易にするために筐体３の開口部分を覆う光拡散部を図示省略している。
【００４８】
この面状発光装置１においては、発光強度および発光色にばらつきのあるＬＥＤ２Ａ〜２Ｄを規則的に配置したものであり、青白の明るいもの（２Ａ）、黄白の暗いもの（２Ｂ）、黄白の明るいもの（２Ｃ）、および青白の暗いもの（２Ｄ）を用いる場合を示している。
【００４９】
（第３の実施の形態の効果）
上記した第３の実施の形態によれば、発光強度および発光色にばらつきのあるＬＥＤ２Ａ〜２Ｄを用いるような場合でも、筐体３の空間内で混合されることにより発光強度および発光色のばらつきが吸収され、発光強度および発光色の均一なＬＥＤを多数揃えなくとも均一な白色光を面状放射することが可能になる。なお、ＬＥＤ２Ａ〜２Ｄについては図示する配置と異なる配置であっても良い。
【００５０】
（第４の実施の形態）
図６は、第４の実施の形態に係る面状発光装置の部分平面図である。同図においては説明を容易にするために筐体３の開口部分を覆う光拡散部を図示省略している。
【００５１】
この面状発光装置１においては、発光色の異なるＬＥＤ２Ｒ（赤色）、２Ｇ（緑色）、２Ｂ（青色）を規則的に配置したものである。
【００５２】
（第４の実施の形態の効果）
上記した第４の実施の形態によれば、発光色の異なるＬＥＤ２Ｒ，２Ｇ，および２Ｂを支持板６上に規則的に配置するような場合でも、筐体３の空間内でＲＧＢ３原色が混合されることにより、均一な白色光を面状放射することが可能になる。なお、ＬＥＤ２Ｒ，２Ｇ，および２Ｂの発光強度については予め定めた許容範囲にあるものであれば、ばらつきを有したものであっても良く、白色以外の色を生じるＬＥＤの配置としても良い。
【図面の簡単な説明】
【００５３】
【図１】本発明の実施の形態に係る直下型の面状光源装置の全体斜視図である。
【図２】面状発光装置に用いられるＬＥＤを示し、（ａ）はＬＥＤの中央部における縦断面図、（ｂ）はＬＥＤに用いられるＬＥＤ素子の縦断面図である。
【図３】本実施の形態で用いるＬＥＤの特性を示し、（ａ）は配光特性図、（ｂ）はＬＥＤ単体についての照度と光軸からの距離に対する照度の変化を示す図である。
【図４】第２の実施の形態に係るＬＥＤの配置の異なる面状発光装置の平面図である。
【図５】第３の実施の形態に係る面状発光装置の部分平面図である。
【図６】第４の実施の形態に係る面状発光装置の部分平面図である。
【符号の説明】
【００５４】
１…面状発光装置、２…ＬＥＤ、３…筐体、４…光反射部、４Ａ…光反射面、５…実装基板、６…支持板、７…光拡散部、２０…ＬＥＤ素子、２１…Ａｌ２Ｏ３基板、２１Ａ，２１Ｂ…配線パターン、２２…ケース、２２Ａ…傾斜面、２２Ｂ…開口部、２３…Ａｕバンプ、２４…封止樹脂、２４Ａ…蛍光体、２００…サファイア基板、２０１…ＡｌＮバッファ層、２０２…ｎ−ＧａＮ層、２０３…発光層、２０４…ｐ−ＧａＮ層、２０５…ｐ側電極、２０６…ｎ側電極、２１０…ＧａＮ系半導体層
【図１】
2006324134.tif 000003
【図２】
2006324134.tif 000004
【図３】
2006324134.tif 000005
【図４】
2006324134.tif 000006
【図５】
2006324134.tif 000007
【図６】
2006324134.tif 000008